(57)【要約】【課題】  特殊なレールを井桁に組むことなく、また、架台としてのパイプの設置精度が多少悪くても、きれいに太陽光パネルを隙間なく設置でき、パイプ架台に直接太陽光パネルを固定することを可能にししたこと、またパネル間の接地線工事を別途する必要がないことを特徴とする、太陽光パネル固定用銅板付フレキシブル金具を提供する。【解決手段】鉄又はステンレス製のアングルの片面に長穴（約１０ｍｍ×４０ｍｍ）を開け、市販の配管支持用のハンガーレール又はダクターチャンネルの１面にも同様の穴を開け、この二つの部品をＴ字型に合わせて溶接し、別に同様の穴を開けた銅板を設けた太陽光パネル固定用銅板付金具。【選択図】図１
2016059253.tif 000002
【特許請求の範囲】
【請求項１】
鉄又はステンレス製のアングルの片面に長穴（約１０ｍｍ×４０ｍｍ）を開け、市販の配管支持用のハンガーレール又はダクターチャンネルの１面にも同様の穴を開け、この二つの部品をＴ字型に合わせて溶接し、別に同様の穴を開けた銅板を設け、特殊なレールを井桁に組むことなく、また、架台としてのパイプの設置精度が多少悪くても、きれいに太陽光パネルを隙間なく設置できることを可能にし、パイプ架台に直接太陽光パネルを固定することを可能にし、またパネル間の接地線工事を別途する必要がないことを特徴とする、太陽光パネル固定用銅板付金具。
【発明の詳細な説明】
【技術分野】
【０００１】本発明は、太陽光パネルを野立てで、パイプ架台で設置する際に、特殊なレールを井桁に組まなくても複数のパネルを間隔を開けることなく設置できること、パネルの背面からのみ固定作業を可能とすること、パネルの設置角度を自由に調整できること、架台の設置精度が多少悪くても補正できること、同時にパネル間を電気的に接続することができる、太陽光パネル固定用銅板付金具に関する
ものである。
【背景技術】
【０００２】野立てで太陽光発電所を建設する場合、配管によってパネルの架台を設置するケースが多く見られる。
平面で見ると、パイプと専用のレール、或いは電気工事用のダクターチャンネル、配管工事用のハンガーレールを井桁に組み合わせて、そのレールと太陽光パネルを縫い合わせている。
太陽光パネルを固定する場合、パネルとパネルの間にボルトあるいは固定用の金具を設けて、パネルの表面側からパネルを固定する方法が多く採用されている。
この場合は、パネルとパネルとの間に隙間が生じる。
また、ハンガーレールやダクターチャンネルをパイプと固定するためのボルト用の穴、或いは、パネルを固定するためのボルト穴を精密な寸法で事前に開けておく必要がある。
又そのレールは、設置位置、角度も正確に設置しておかなければならない。
つまり、事前に準備するレールの工作精度とパイプ架台とレールをそれぞれ精度良く設置することが要求され、そこに手間がかかっている。
落雷対策としては太陽光パネルを設置後に、パネルとパネルとを接地線で接続する必要がある。
【先行技術文献】
【特許文献】
【０００３】
【特許文献１】実用新案３１８９４７４
【特許文献２】実用新案３１８９３０３
【発明の概要】
【発明が解決しようとする課題】
【０００４】従来の方法では次のような問題点が有る。
（ア）太陽光パネルの架台としてのパイプと専用のレール、或いは電気工事用のダクターチャンネル、配管工事用のハンガーレールを井桁に組み合わせる方法が多く採用されているが、材料に無駄が多い。
（イ）パネルとパネルの間にボルトあるいは固定用の金具を設けて、パネルの表面側からパネルを固定する方法が多く採用されている。この場合は、パネルとパネルとの間に隙間が生じる。
（ウ）ハンガーレールやダクターチャンネルをパイプと固定するためのボルト用の穴、或いは、パネルを固定するためのボルト穴を精密な寸法で事前に開けておく必要があり作業性が悪い。
（エ）パイプ架台とレールはそれぞれ、設置位置及び角度を正確に設置しておかなければならないため作業性が悪い。
（オ）落雷対策としてはパネル設置後にパネルとパネルとを接地線で接続する必要がある。
【発明が解決しようとするための手段】
【０００５】鉄又はステンレス製のアングルの片面に長穴（約１０ｍｍ×４０ｍｍ）を約１０ｍｍの間隔を空けて開ける。
市販の配管支持用のハンガーレール又はダクターチャンネルの１面に同様の長穴を開ける。
この二つの部品をＴ字型に溶接する。
同様の長穴を２か所開けた銅板を電気的連結用座金として設ける。
以上を特徴とする太陽光パネル固定用銅板付フレキシブル金具である。
【発明の効果】
【０００６】パイプと専用のレール、或いは電気工事用のダクターチャンネル、配管工事用のハンガーレールを井桁に組み合わせる必要が無く、架台としてのパイプに直接パネルを固定するので材料が少なくてよい。
ハンガーレールやダクターチャンネルを使用しないので、事前に精密な穴あけ作業と正確な設置作業をする必要が無く、作業性が大幅に向上する。
また、パネルとパネルの間にボルトあるいは固定用の金具を設ける必要がなく、パネルの裏面からのみ固定作業ができ、パネルとパネルとの間に隙間が生じない。
落雷対策としてはパネル設置後にパネルとパネルとの間を接地線で接続する必要がなくなり、この面でも作業性が向上する。
【図面の簡単な説明】
【０００７】
【図１】本発明の斜視図である。
【図２】本発明の使用状態を示した斜視図である。
【図３】パイプ架台を使用した野立ての太陽光発電所の斜視図である。
【発明を実施するための形態】
【０００８】以下、本発明の実施の形態を説明する。
（イ）鉄又はステンレス製で長さ約１３０ｍｍのアングル（１）の片面に長穴（約１０ｍｍ×４０ｍｍ）（２）を約１０ｍｍの間隔を空けて開ける。
（ロ）市販の配管支持用のハンガーレール又はダクターチャンネル（３）（長さ約２００ｍｍ）の１面に（２）と同様の穴を開ける。
（ハ）（１）と（３）をＴ字型に溶接する。
（ニ）（２）と同様の穴を開けた電気的連結用銅板（６）を製作する。
本発明は、以上の構成からなっている。
本発明を使用する時は、
水平方向に架台としてのパイプ（７）を２本平行に設置する。
そのパイプ（７）に本発明である金具（５）を市販のパイプハンガークリップ（８）で取り付ける。
ハンガークリップ（８）の固定ボルト（９）を緩めることにより、金具をパイプを軸として回転してパネルの角度を調整することができる、又、Ｘ方向にスライドすることにより、架台の位置の狂いを調整することができる。又Ｙ方向にもスライドすることができる。
最適な位置に決定後ボルト（９）を締め付ける。
次に電気的連結用座金（６）を敷き、左側のパネル（１０）を乗せて、ボルト・ナット（１１）で固定する。図面ではこのボルトナットの記載は省略している。
次に右側のパネル（図面が解りずらくなるので右側のパネルの図面は記載を省略している）を乗せてボルト・ナット（１２）で固定する。
パネルを上下方向で並べる場合は金具（５）の縦方向の穴（４）を使用してパネルを固定する。
【符号の説明】
【０００９】１    アングル（長さ約１３０ｍｍ）
２    長穴
３    ダクターチャンネル又はパイプハンガーレール（約２００ｍｍ）
４    長穴
５    １と３をＴ型に溶接した、太陽光パネル固定金具
６    電気的連結用銅板座金
７    架台（パイプ）
８    ハンガークリップ
９    クリップ締め付け用ボルト
１０  太陽光パネル
１１  ボルト・ナット（詳細図面は省略）
１２  ボルト・ナット（詳細図面は省略）
【図１】
2016059253.tif 000003
【図２】
2016059253.tif 000004
【図３】
2016059253.tif 000005